(57)【要約】【課題】庫内の美観を損ないにくく、庫内を清潔な状態に容易に回復させることができる収納装置を提供すること。【解決手段】被収納物を収納可能な空間及び前記被収納物を前記空間に出し入れするための開口が形成された複数のインナーケース２と、前記インナーケース２の開口を除く前記インナーケース２の外面に接するように前記インナーケース２の外面に倣った形状の内面を有して前記インナーケース２を保持する複数のアウターケース３と、複数の前記アウターケース３を並べて保持するように複数の前記アウターケース３と固定された枠部５と、前記複数のインナーケース２の開口を個別に塞ぐように各インナーケース２に対して個別に設けられた開閉可能な複数の扉１０と、複数の前記扉１０と前記枠部５とを連結する複数の蝶番部１１と、を備えることを特徴とする。【選択図】図２
2017055873.tif 000002
【特許請求の範囲】
【請求項１】
被収納物を収納可能な空間及び前記被収納物を前記空間に出し入れするための開口が形成された複数のインナーケースと、
前記インナーケースの開口を除く前記インナーケースの外面に接するように前記インナーケースの外面に倣った形状の内面を有して前記インナーケースを保持する複数のアウターケースと、
複数の前記アウターケースを並べて保持するように複数の前記アウターケースと固定された枠部と、
前記複数のインナーケースの開口を個別に塞ぐように各インナーケースに対して個別に設けられた開閉可能な複数の扉と、
複数の前記扉と前記枠部とを連結する複数の蝶番部と、
を備えることを特徴とする収納装置。
【請求項２】
請求項１に記載の収納装置であって、
前記アウターケースは、前記アウターケースの内外を連通させるように前記アウターケースを貫通して前記アウターケースと前記インナーケースとの間にある空気の出入り口となる通路部を有する
収納装置。
【請求項３】
請求項１に記載の収納装置であって、
前記扉が前記開口を塞いだ状態で前記枠部に対して前記扉を施錠可能な電子施錠システムをさらに備え、
前記電子施錠システムが、
前記枠部又は前記アウターケースに固定され、所定の施錠信号及び開錠信号に基づいて複数の前記扉を施錠又は開錠する互いに区別可能な複数の電子錠部と、
前記電子錠部の施錠及び開錠を切り替えるために複数の前記電子錠部における１つの前記電子錠部を特定可能な識別情報を含む鍵と、
前記鍵から前記識別情報を読み取るリーダ、及び前記リーダにより読み取られた前記識別情報に基づいて特定された電子錠部に対して前記所定の施錠信号又は開錠信号を出力可能な制御部を備えた操作部と、
前記電子錠部に設けられた非常開錠スイッチと、
を備え、
前記非常開錠スイッチは、前記アウターケースに前記インナーケースが取り付けられた状態において前記インナーケースによって隠れるように前記アウターケース又は前記枠部に固定されている
収納装置。
【発明の詳細な説明】
【技術分野】
【０００１】
本発明は、収納装置に関する。
【背景技術】
【０００２】
従来、複数の利用者に対して個別に収納スペースを割り当てて利用可能なロッカー等の収納装置が知られている。たとえば特許文献１には、決済及び認証機能付きカードを認証媒体として施錠及び開錠並びに利用料金の決済が可能な電子ロッカーシステムが開示されている。
公共施設や企業等に設置されるロッカーは、使用者が高頻度で入れ替わるので、定期的に庫内の清掃をすることにより清潔に保たれている。また、企業の従業員や会員制施設の会員などに割り当てられて利用されるロッカーは、不特定多数の利用者により利用されるロッカーと比較して清掃の頻度が低く、利用者の入れ替えの際に清掃が行われることが多い。ロッカー等の収納装置の庫内は使用により汚れや傷などが蓄積するので、定期的な清掃によっても十分な原状回復ができない場合がある。
【先行技術文献】
【特許文献】
【０００３】
【特許文献１】特開２００５−１５７７３８号公報
【特許文献２】特開２００６−２７４５５２号公報
【発明の概要】
【発明が解決しようとする課題】
【０００４】
収納装置の利用シーンとして、衛生用品等を収納する等、庫内に高い清潔度が求められる場合があるが、清掃によって庫内の状態を回復させることが難しい場合に、収納装置を解体して修繕したり収納装置自体を交換したりするなどの煩雑な工事が必要であった。また、化粧品等を収納するために利用される収納装置では、化粧品等に含まれる溶剤や色素などによって庫内が痛みやすく、庫内の美観が損なわれやすい。
【０００５】
本発明は、上述した事情に鑑みてなされたものであって、庫内の美観を損ないにくく、庫内を清潔な状態に容易に回復させることができる収納装置を提供することを目的とする。
【課題を解決するための手段】
【０００６】
本発明の一態様は、被収納物を収納可能な空間及び前記被収納物を前記空間に出し入れするための開口が形成された複数のインナーケースと、前記インナーケースの開口を除く前記インナーケースの外面に接するように前記インナーケースの外面に倣った形状の内面を有して前記インナーケースを保持する複数のアウターケースと、複数の前記アウターケースを並べて保持するように複数の前記アウターケースと固定された枠部と、前記複数のインナーケースの開口を個別に塞ぐように各インナーケースに対して個別に設けられた開閉可能な複数の扉と、複数の前記扉と前記枠部とを連結する複数の蝶番部と、を備えることを特徴とする収納装置である。
【０００７】
前記アウターケースは、前記アウターケースの内外を連通させるように前記アウターケースを貫通して前記アウターケースと前記インナーケースとの間にある空気の出入り口となる通路部を有していてもよい。
【０００８】
上記態様の収納装置は、前記扉が前記開口を塞いだ状態で前記枠部に対して前記扉を施錠可能な電子施錠システムをさらに備えていてもよく、前記電子施錠システムが、前記枠部又は前記アウターケースに固定され、所定の施錠信号及び開錠信号に基づいて複数の前記扉を施錠又は開錠する互いに区別可能な複数の電子錠部と、前記電子錠部の施錠及び開錠を切り替えるために複数の前記電子錠部における１つの前記電子錠部を特定可能な識別情報を含む鍵と、前記鍵から前記識別情報を読み取るリーダ、及び前記リーダにより読み取られた前記識別情報に基づいて特定された電子錠部に対して前記所定の施錠信号又は開錠信号を出力可能な制御部を備えた操作部と、前記電子錠部に設けられた非常開錠スイッチと、を備え、前記非常開錠スイッチは、前記アウターケースに前記インナーケースが取り付けられた状態において前記インナーケースによって隠れるように前記アウターケース又は前記枠部に固定されていてもよい。
【発明の効果】
【０００９】
本発明によれば、庫内の美観を損ないにくく、庫内を清潔な状態に容易に回復させることができる収納装置を提供することができる。
【図面の簡単な説明】
【００１０】
【図１】本発明の一実施形態に係る収納装置の斜視図である。
【図２】同収納装置の分解斜視図である。
【図３】同収納装置のアウターケースに対するインナーケースの取り付け状態を示す断面図である。
【図４】同実施形態の変形例に係る収納装置の一部を示す模式図である。
【発明を実施するための形態】
【００１１】
本発明の一実施形態について説明する。図１は、本実施形態に係る収納装置の斜視図である。図２は、同収納装置の分解斜視図である。図３は、同収納装置のアウターケースに対するインナーケースの取り付け状態を示す断面図である。
【００１２】
図１に示す本実施形態の収納装置１は、壁Ｗに形成された取り付け穴内に固定されて使用される装置である。収納装置１は、図１及び図２に示すように、インナーケース２と、アウターケース３と、枠部５と、扉１０と、蝶番部１１とを備えている。
【００１３】
インナーケース２は、被収納物（図示しない）を収納可能な空間及び被収納物をこの空間に出し入れするための開口２ａが形成された略直方体状の中空部材である。インナーケース２は、空間内に被収容物を収容可能であり、底面２ｃが水平なので被収容物を載置可能である。インナーケース２の開口周縁部２ｂは、インナーケース２の開口２ａの周囲にフランジ形状に形成されており、前面が平面になっている。開口周縁部２ｂの上方部の一方側には、後述する第一ブラケット１２を挿通させるためのブラケット挿通用の切欠き部２ｂ１が形成されている。これと対をなして、開口周縁部の下方部の一方側には、同じく後述する第二ブラケット１３を挿通させるためのブラケット挿通用の切欠き部２ｂ２が形成されている。
【００１４】
本実施形態では、複数のインナーケース２が収納装置１に設けられている。インナーケース２は、少なくとも内面が抗菌性を有し衛生面で優れる。たとえば、インナーケース２の材料・素材としては、抗菌剤練り込み樹脂が好ましい。インナーケース２の材料として好ましい材料の具体例としては、HIPS（高衝撃性ポリスチレン(high impact polystyrene)）が挙げられる。なお、抗菌剤については特に限定されない。
【００１５】
また、インナーケース２は、例えば溶剤に対する耐久性や、撥水性等の機能性に着目して材料が選択されてもよい。なお、本実施形態では、インナーケース２の内面が汚損したりインナーケース２が破損したりした場合に容易にインナーケース２を交換することができるようになっているので、インナーケース２の耐久性その他の機能性が重要視されなくてもよい。
また、インナーケース２の内面は、意匠性に優れた形状や模様などにより装飾されていてもよい。
【００１６】
インナーケース２は、開口２ａ以外は、インナーケース２の内外を繋ぐ孔を有していない。このため、インナーケース２内に収容された被収容物がたとえば液体が入った容器である場合に、この液体がこぼれてもインナーケース２からアウターケース３へ液体が漏れることがない。
【００１７】
インナーケース２の硬さは、アウターケース３の内面に支えられてその形状を維持することができる程度の硬さで構わない。本実施形態のインナーケース２は、アウターケース３の内面との間に隙間（浮き）が生じない程度に、アウターケース３の内面に倣った形状を有している。
【００１８】
インナーケース２の製造方法としては、圧空成形やインジェクションが好ましい。なお、インナーケース２の各部に対して切削等により前加工や後加工が施されてもよい。
【００１９】
本実施形態では、使用済みのインナーケース２を必要に応じて新たなインナーケース２に交換することができるようになっている。すなわち、インナーケース２は、インナーケース２をアウターケース３内に押し込んだ際の摩擦力によりアウターケース３に密着し、また、アウターケース３から容易に引き抜くことができる。
【００２０】
図２及び図３に示すように、アウターケース３は、開口３ａと、開口周縁部３ｂと、水平な底面３ｃと、抜勾配を考慮した上面３ｄと、戸先側に配置される垂直な側面３ｅと、吊元側において抜勾配を考慮した側面３ｆと、垂直な背面３ｇとを有する。
アウターケース３の内面は、インナーケース２の外面（インナーケース２の開口２ａを除く）に倣った形状となっている。また、アウターケース３の内面は、インナーケース２を容易に挿脱可能とするとともにインナーケース２と密着可能となるように、奥へ向かうに従って漸次狭くなるように僅かに傾斜している。
【００２１】
開口周縁部３ｂは、一定の厚みを有する板状であり、枠部５に取り付けられる部位なので強度が高められている。そのため、アウターケース３が枠部５に取り付けられた状態においてアウターケース３にゆがみが生じないようにする機能を有する。
【００２２】
アウターケース３の背面３ｇには、アウターケース３の内外を連通させるようにアウターケース３を貫通する通路部４が形成されている。アウターケース３に形成された通路部４は、アウターケース３とインナーケース２との間にある空気の出入り口となる。これにより、アウターケース３にインナーケース２を挿入する過程でアウターケース３とインナーケース２との間の空気の逃げ場がなくなるのを防ぎ、また、アウターケース３からインナーケース２を引き抜く際にアウターケース３とインナーケース２との間が陰圧となって引き抜きの抵抗となるのを防ぐことができる。
【００２３】
アウターケース３は、アウターケース３を枠部５に固定するためのネジ孔を有している。アウターケース３のネジ孔は、インナーケース２をアウターケース３に取り付けることにより、インナーケース２によって目隠しされる。
【００２４】
枠部５は、収納装置１の設置場所の壁内に設備される、枠部５は、複数のアウターケース３を囲んで配置される。枠部５は、収納装置１の設置場所の壁内に固定され、アウターケース３に対しては、アウターケース３の開口周縁部に連結される。
【００２５】
枠部５は、一つのアウターケース３の開口周縁部を囲む４つの構造材（天板６、第一側板７、第二側板８、及び底板９）を有している。枠部５は、複数が互いに水平方向又は鉛直方向に並べて連結されていることにより、複数のアウターケース３を並べて保持することができる。さらに、本実施形態の収納装置１は、複数の枠部５の外周を囲む化粧枠をさらに有していてもよい。
【００２６】
天板６は、アウターケース３の上面の上方に配置される。天板６は、第一ブラケット１２の固定用のネジ孔を有してもよい。天板６は、ネジ孔を介して第一ブラケット１２を保持してもよい。
【００２７】
第一側板７は、アウターケース３の側面の外側（アウターケース３の開口から奥へ向かって見たときの側面の左方）に配置される。第一側板７は、天板６および底板９の一端部にネジ止め固定されている。なお、第一側板７は、天板６および底板９の一端部に溶接固定されてもよい。
【００２８】
第二側板８は、アウターケース３の側面の外側（アウターケース３の開口から奥へ向かって見たときの側面の右方）に配置される。第二側板８は、天板６および底板９の他端部にネジ止め固定されている。
【００２９】
底板９は、アウターケース３の底面の下方に配置される。底板９は、第二ブラケット１３の固定用のネジ孔（図示しない）を有してもよい。底板９は、ネジ孔を介して第二ブラケット１３を保持する。
【００３０】
また、本実施形態の枠部５に対して、収納装置１の設置状態における左右方向に隣り合う枠部５の間に、収納装置１の設置状態における鉛直方向に長い柱部材が介在されていてもよい。
柱部材は、鉛直方向に重ねられた枠部５の各側板、に固定されることにより、枠部５の歪みによる収納装置１全体の歪みを補正する。なお、収納装置１が柱部材を有することは必須ではない。
【００３１】
図２に示す扉１０は、インナーケース２が取り付けられた状態のアウターケース３の開口を個別に塞ぐように蝶番部１１に対して取り付けられている。扉１０には、後述する蝶番部１１の軸部１４が取り付けられている。本実施形態の扉１０は略板状である。なお、扉１０の形状は特に限定されない。
【００３２】
蝶番部１１は、ネジにより枠部５に取り付けられるブラケット（第一ブラケット１２、第二ブラケット１３）と、扉１０に配された軸部１４とを有する。
【００３３】
第一ブラケット１２および第二ブラケット１３は、枠部５に対してネジにより固定可能な部材である。第一ブラケット１２と第二ブラケット１３とは、互いに面対称となる形状を有している。
【００３４】
第一ブラケット１２は、枠部５の天板６に配置されている。第一ブラケット１２には、後述する第一回動軸部材１５を挿入することで扉１０の回動軸線Ｃ１を規定するための孔が形成されている。
第二ブラケット１３は、枠部５の底板９に配置されている。第二ブラケット１３には、後述する第二回動軸部材１６を挿入することで扉１０の回動軸線Ｃ１を規定するための孔が形成されている。
【００３５】
軸部１４は、蝶番部１１の第一ブラケット１２及び第二ブラケット１３に連結するための回動軸部材１５，１６（第一回動軸部材１５，第二回動軸部材１６）を有している。
回動軸部材１５，１６のうち扉１０の上側に配された第一回動軸部材１５は、バネ等の不図示の付勢部材により上側へと付勢されており、この付勢力に抗して押されると、下側へと進退移動可能である。第一回動軸部材１５は、蝶番部１１に対する扉１０の着脱の際に進退移動されることにより、特別な工具を必要とせずに扉１０を着脱可能である。また、扉１０は、扉１０が閉じている状態では蝶番部１１に対して着脱できないようになっており、扉１０が開いている状態では蝶番部１１に対して着脱可能である。
【００３６】
扉１０は、蝶番部１１における所定の回動軸線Ｃ１を回動中心として回動することによって、各インナーケース２が取り付けられたアウターケース３の開口に対して開閉動作可能である。
【００３７】
次に、本実施形態の収納装置１の作用について説明する。
本実施形態の収納装置１は、たとえば衛生用品等を被収納物として各インナーケース２内に保管するために利用可能である。
【００３８】
収納装置１の使用時には、経年劣化や汚損などにより各インナーケース２が使用不能となる場合が考えられる。この場合、使用不能な既設インナーケース２を撤去して新たなインナーケース２へと交換することができる。また、各インナーケース２は、収納装置１に被収納物を収納して利用する利用者が替わるたびに、前利用者が使用していた既設インナーケース２から新たなインナーケース２へと交換されてもよい。
【００３９】
既設インナーケース２を新たなインナーケース２に交換する場合には、まず、扉１０を蝶番部１１から取り外す。これにより、既設インナーケース２をアウターケース３から取り外すための通路を確保することができる。扉１０が蝶番部１１から取り外されている状態で既設インナーケース２をアウターケース３から引き抜くことにより（図２参照）、既設インナーケース２を取り外すことができる。
【００４０】
既設インナーケース２が取り外された後、新たなインナーケース２をアウターケース３内に押し込む。新たなインナーケース２の外面とアウターケース３の内面とが密着することにより、インナーケース２はアウターケース３の内面形状に倣った形状に保持（補強）される。インナーケース２とアウターケース３とが密着する過程で、インナーケース２とアウターケース３との間の空気は通路部４（図３参照）からアウターケース３の外へと押し出される。このため、インナーケース２とアウターケース３との間に空気が閉じ込められることがなく、アウターケース３の内面からインナーケース２が浮かずに密着状態となる。
【００４１】
新たなインナーケース２をアウターケース３内に完全に押し込んだ後、扉１０を蝶番部１１に取り付け、インナーケース２の交換作業が完了する。
【００４２】
以上に説明したように、本実施形態の収納装置１によれば、蝶番部１１から扉１０を取り外すだけでインナーケース２をアウターケース３から取り出して新たなインナーケース２に容易に交換することができる。このため、本実施形態の収納装置１は、庫内の美観を損ないにくく、庫内を清潔な状態に容易に回復させることができる。
【００４３】
また、本実施形態の収納装置１では、収納装置１の利用開始時にアウターケース３にインナーケース２を取り付け、インナーケース２の利用者が替わったりインナーケース２が汚損した場合などにインナーケース２を交換することにより、劣化がなく美観に優れた状態のインナーケース２を適宜提供することができ、庫内清掃の手間を省くことができる。
【００４４】
また、本実施形態の収納装置１によれば、インナーケース２に対する機能性や意匠性等の特性を変えたインナーケース２を既設のインナーケース２と交換することにより、容易に仕様変更をすることができる。
【００４５】
また、本実施形態の収納装置１では、アウターケース３がインナーケース２を支える構成となっていることにより、インナーケース２は薄くてもよい。このため、頻繁に交換されることが想定されるインナーケース２に必要な樹脂量を削減することができる。また、インナーケース２に必要な樹脂量が少ないので、機能性に優れた特殊な樹脂等を使用するなどの付加価値の高いインナーケース２を安価に提供することができる。
【００４６】
また、本実施形態の収納装置１では、インナーケース２の交換作業の過程で、インナーケース２の交換作業を容易に行うことができる。その結果、本実施形態の収納装置１の利用の一形態として、収納装置１の利用を開始する際に未開封の新品のインナーケース２を利用者に手渡して利用者自身がインナーケース２をアウターケース３に取り付けて利用するという形態とすることで、インナーケース２が未開封の新品であり衛生的であることを利用者に認識させることができ、安心感を高めることができる。
【００４７】
（変形例）
上記実施形態の変形例について説明する。図４は、本変形例に係る収納装置の一部を示す模式図である
図４に示すように、本変形例の収納装置１は、各扉１０を個別に施錠するための電子施錠システム２０をさらに備えている。
【００４８】
図４に示す電子施錠システム２０は、一例として、枠部５又はアウターケース３に固定され、所定の施錠信号及び開錠信号に基づいて複数の扉１０を施錠又は開錠する互いに区別可能な複数の電子錠部２１と、電子錠部２１の施錠及び開錠を切り替えるために複数の電子錠部２１における１つの電子錠部２１を特定可能な識別情報を含む鍵２５と、収納装置１の利用者が操作するための操作部２６とを備えている。
【００４９】
電子錠部２１は、扉１０に設けられた係合部材２２と、枠部５に設けられた錠本体部２３と、錠本体部２３に設けられた非常開錠スイッチ２４とを有している。
【００５０】
係合部材２２が錠本体部２３に係合した状態で非常開錠スイッチ２４が押されると、錠本体部２３から係合部材２２を手動で外すことができる。なお、非常開錠スイッチ２４は、アウターケース３にインナーケース２が取り付けられた状態においてインナーケース２によって隠される位置に配置されており、且つ、扉１０が閉まった状態で隣の扉１０との隙間を通じて細長い棒３０などで押すことができる位置に配されている。すなわち、本変形例では、非常開錠スイッチ２４を押すためには、インナーケース２を取り外すか、インナーケース２を突き破って細長い棒等を差し込む等の作業が必要である。本変形例では、非常開錠スイッチ２４の位置を予め知っている者以外は容易には非常開錠スイッチ２４を押すことができないようになっていることにより、悪戯等により不正に開錠されてしまう可能性を低く抑えることができる。
【００５１】
また、本変形例において、アウターケース３は、非常開錠スイッチ２４を押すための棒等を非常開錠スイッチ２４まで案内するための通路３ｈを有していてもよい。この場合、非常開錠スイッチ２４の位置を予め知っている者であれば、非常開錠スイッチ２４を押すためにインナーケース２のどこを突き破るかの目印がなくても正確に非常開錠スイッチ２４を押すことができる。
【００５２】
鍵２５は、識別情報を操作部２６に対して送信可能な電子回路を有している。たとえば、鍵２５として、非接触型ＩＣカードや接触型ＩＣカードなどを利用可能である。本実施形態では、収納装置１の一部に配された操作部２６において、鍵２５によって特定される電子錠部２１に対応する扉１０の施錠及び開錠が可能である。
【００５３】
電子施錠システム２０の操作部２６は、鍵２５から識別情報を読み取るリーダ、及びリーダにより読み取られた識別情報に基づいて特定された電子錠部２１に対して所定の施錠信号又は開錠信号を出力可能な制御部を備えている。
電子施錠システム２０は、電子施錠システム２０を動作させるための電力をたとえば商用電源から受ける。また、電子施錠システム２０は、商用電源からの給電が止まったときに自動的に動作開始する無停電電源装置を有していてもよい。
【００５４】
本変形例の収納装置１は、電子施錠システム２０により施錠及び開錠が可能である。また、本実施形態の収納装置１は、非常開錠スイッチ２４の位置が外部から見えないようにインナーケース２によって隠されるので悪戯されにくい。
【００５５】
以上、本発明の実施形態について図面を参照して詳述したが、具体的な構成はこの実施形態に限られるものではなく、本発明の要旨を逸脱しない範囲の設計変更等も含まれる。
たとえば、上記実施形態では、収納装置１が設置場所の壁部に内蔵される例が示されているが、収納装置１は床面に載置されるものであってもよい。
また、扉１０には、悪戯や誤操作によって扉１０が外されてしまうことを防ぐためのロック手段が設けられていてもよい。
【符号の説明】
【００５６】
１  収納装置
２  インナーケース
３  アウターケース
４  通路部
５  枠部
６  天板
７  第一側板
８  第二側板
９  底板
１０  扉
１１  蝶番部
１２  第一ブラケット
１３  第二ブラケット
１４  軸部
１５  第一回動軸部材
１６  第二回動軸部材
２０  電子施錠システム
２１  電子錠部
２２  係合部材
２３  錠本体部
２４  非常開錠スイッチ
２５  鍵
２６  操作部
【図１】
2017055873.tif 000003
【図２】
2017055873.tif 000004
【図３】
2017055873.tif 000005
【図４】
2017055873.tif 000006